(57)【要約】【課題】簡単かつ低コストでビニルハウス内における栽培面積の割合を増大できるハウス用栽培装置及びビニルハウス構造を提供する。【解決手段】作物を栽培するため栽培器８を、ビニルハウス１内に吊下状態で移動可能に配設したハウス用栽培装置６において、ビニルハウス１内の対向する位置に所定高さで架設された梁材５，５間に、この梁材５，５上を転動可能に掛け渡された移動パイプ７と、この移動パイプ７に、前後所定間隔をあけて係止された一対の吊下具６０，６０を介して吊下され、前記移動パイプ７の転動に伴って水平移動する栽培器８と、前記吊下具６０の下部に取り付けられ、前記移動パイプ７に沿って伸延させたレール材９と、このレール材９に移動自在に吊下された収納箱１０とを具備する構成とした。【選択図】図２
2010022219.tif 000002
【特許請求の範囲】
【請求項１】
作物を栽培するための栽培器を、ビニルハウス内に吊下状態で移動可能に配設したハウス用栽培装置であって、
ビニルハウス内の対向する位置に所定高さで架設された梁材間に、この梁材上を転動可能に掛け渡された移動パイプと、
この移動パイプに、前後所定間隔をあけて係止された一対の吊下具を介して吊下され、前記移動パイプの転動に伴って水平移動する栽培器と、
前記吊下具の下部に取り付けられ、前記移動パイプに沿って伸延させたレール材と、
このレール材に移動自在に吊下された収納箱と、
を具備することを特徴とするハウス用栽培装置。
【請求項２】
前記栽培器は、
前記一対の吊下具それぞれに、略水平に取り付けられた上部横枠部材と、
所定の間隔をあけて並設とした複数のパイプ材からなる載置台部と、
この載置台部の前後端部と前記各上部横枠部材とを連結する縦枠部材と、
から構成されていることを特徴とする請求項１記載のハウス用栽培装置。
【請求項３】
前記上部横枠部材の両端に、それぞれ緩衝板を設けたことを特徴とする請求項２記載のハウス用栽培装置。
【請求項４】
前記吊下具は、前記移動パイプに係止されるフックからなり、このフックの内側に前記移動パイプに摺接する複数の転動ローラを配設したことを特徴とする請求項１〜３のいずれかに記載のハウス用栽培装置。
【請求項５】
前記レール材に、伸長自在に散液用ホースを這わせたことを特徴とする請求項１〜４のいずれかに記載のハウス用栽培装置。
【請求項６】
請求項１〜５のいずれかに記載のハウス用栽培装置を、ビニルハウス内に複数設け、前記移動パイプを移動させることにより、隣接する栽培器間に歩行路を形成可能としたことを特徴とするビニルハウス構造。
【発明の詳細な説明】
【技術分野】
【０００１】
この発明は、ビニルハウス内における栽培面積の割合を増大できるようにしたハウス用栽培装置、及び同装置を備えたビニルハウス構造に関するものである。
【背景技術】
【０００２】
従来、農業用のビニルハウス内においては、通常、歩行路となる分だけの幅をあけて複数条の畝が形成されて各種作物が栽培されている。作物が苺などであれば、例えば、図７に示すように、スタンド１００に指示されたベンチ２００に苺などを植えるプランタ３００を載置して栽培器５００を構成し、この栽培器５００を複数列並べて栽培するようにしたものがある。図中、符合４００はビニルハウスを示し、４１０はビニルハウス４００を構築するアーチパイプ、４２０は補強パイプを示す。また、符合６００は、隣り合う栽培器５００間に設けられた歩行路を示す。
【０００３】
かかるビニルハウス４００内において、利便性や作業性を向上させるための装置が各種提案されている。例えば、必要な肥料やその他器具などを搬送する際に、前記歩行路を手押し車などを押して通行することが容易でないことから、簡易方式の搬送装置が提案されている（例えば、特許文献１を参照。）。
【０００４】
これは、回転軸が農業用温室の天井部位に設けた梁材の上に転動可能に、かつ棟方向に長く配置され、同回転軸の端部に回転伝達装置が設けられ、この回転伝達装置により回転軸を温室の間口方向へ転がして位置の変更が可能とされたもので、回転軸と同方向に長いレール部材が、回転軸の転がりを許容する構造の複数の吊り下げ部材によってほぼ水平に回転軸から吊り支持され、同レール部材を走行するトロリーが設置されている。したがって、このトロリーから吊り下げられたコンテナ等を温室の棟方向及び間口方向へ搬送することができる。
【特許文献１】特開２００４−９７１６６号公報
【発明の開示】
【発明が解決しようとする課題】
【０００５】
特許文献１の搬送装置は、確かに、低コストで実現できるとともに、作業性なども著しく向上するが、畝そのものはビニルハウス内の地上に形成されていたり、あるいは図７で示したように、ビニルハウス４００内に複数の栽培器５００を配設したりしており、これらの畝や栽培器５００の間にはどうしても歩行路６００（図７）が必要となっていることから、この歩行路６００も複数本設けられることになり、ビニルハウスのサイズで規定されるハウス面積に対する作付面積すなわち栽培面積の割合を増加させることが難しかった。
【０００６】
農業従事者からすれば、利便性や作業性の向上に加え、栽培面積（作付面積）の割合を向上させることのできるハウス用装置が望まれるところである。
【０００７】
本発明は、上述した課題を解決することのできるハウス用栽培装置を提供することを目的としている。
【課題を解決するための手段】
【０００８】
（１）本発明では、作物を栽培するための栽培器を、ビニルハウス内に吊下状態で移動可能に配設したハウス用栽培装置であって、ビニルハウス内の対向する位置に所定高さで架設された梁材間に、この梁材上を転動可能に掛け渡された移動パイプと、この移動パイプに、前後所定間隔をあけて係止された一対の吊下具を介して吊下され、前記移動パイプの転動に伴って水平移動する栽培器と、前記吊下具の下部に取り付けられ、前記移動パイプに沿って伸延させたレール材と、このレール材に移動自在に吊下された収納箱と、を具備するハウス用栽培装置とした。
【０００９】
（２）本発明は、上記（１）に記載のハウス用栽培装置において、前記栽培器は、前記一対の吊下具それぞれに、略水平に取り付けられた上部横枠部材と、所定の間隔をあけて並設とした複数のパイプ材からなる載置台部と、この載置台部の前後端部と前記各上部横枠部材とを連結する縦枠部材と、から構成されていることを特徴とする。
【００１０】
（３）本発明は、上記（２）に記載のハウス用栽培装置において、前記上部横枠部材の両端に、それぞれ緩衝板を設けたことを特徴とする。
【００１１】
（４）本発明は、上記（１）〜（３）のいずれかに記載のハウス用栽培装置において、前記吊下具は、前記移動パイプに係止されるフックからなり、このフックの内側に前記移動パイプに摺接する複数の転動ローラを配設したことを特徴とする。
【００１２】
（５）本発明は、上記（１）〜（４）のいずれかに記載のハウス用栽培装置において、前記レール材に、伸長自在に散液用ホースを這わせたことを特徴とする。
【００１３】
（６）本発明では、上記（１）〜（５）のいずれかに記載のハウス用栽培装置を、ビニルハウス内に複数設け、前記移動パイプを移動させることにより、隣接する栽培器間に歩行路を形成可能としたビニルハウス構造とした。
【発明の効果】
【００１４】
本発明によれば、所定サイズのビニルハウス内において、簡単な操作で栽培器を水平移動させることにより、必要に応じて歩行路を形成することができるため、ハウスのサイズで規定されるハウス面積に対する作物の栽培面積（作付面積）の割合を大幅に増加させることが可能となる。さらに、栽培器には、収納箱が栽培器の移動方向と著項する方向に移動自在に設けられているため、例えば、収納箱を収獲器として利用して、収獲時には、栽培器で栽培した作物を収納箱に次々に移して行くなど、利便性が大幅に向上する。しかも、構造も簡単なことから大幅なコスト上昇となることもない。
【発明を実施するための最良の形態】
【００１５】
本実施形態に係るハウス用栽培装置は、作物を栽培するための栽培器を、ビニルハウス内に吊下状態で移動可能に配設したハウス用栽培装置であって、ビニルハウス内の対向する位置に所定高さで架設された梁材間に、この梁材上を転動可能に掛け渡された移動パイプと、この移動パイプに、前後所定間隔をあけて係止された一対の吊下具を介して吊下され、前記移動パイプの転動に伴って水平移動する栽培器と、前記吊下具の下部に取り付けられ、前記移動パイプに沿って伸延させたレール材と、このレール材に移動自在に吊下された収納箱とを具備する構成となっている。
【００１６】
すなわち、作物を栽培するための栽培器をビニルハウス内に、移動パイプに係止した前後一対の吊下具を介して吊下した状態で設置しており、栽培器は、移動パイプの転動方向、すなわち回転移動方向に略水平に移動する。なお、栽培器の大きさ（幅、長さ）は、ビニルハウスの大きさに合わせて適宜設定すればよい。
【００１７】
また、移動パイプは、梁材間にフリーな状態で横架されているだけなので、栽培器の大きさ（重量）などに拘わらず、例えば、移動パイプの中間や端部にチェーンブロックなどのような構造からなる周知の回転装置を取り付けておくなどの極めて簡単な構成でこれを転動させることができる。
【００１８】
また、上記栽培器は、ビニルハウス内に、その移動方向に複数設けることで、前記移動パイプを移動させることによって隣接する栽培器間に歩行路を形成可能としたビニルハウス構造とすることができる。
【００１９】
こうした構造とすることにより、所定サイズのビニルハウス内において、ハウスサイズにより規定されるハウス面積に対する作物の栽培面積割合を大幅に増加させることが可能となり、しかも、簡単な操作で栽培器を水平移動させることによって、必要に応じて歩行路を形成することができるため、作業性にも何ら支障を来すことがない。しかも、栽培器の設置高さは吊下する長さを調整するだけで簡単に設定することができるとともに、凸凹（でこぼこ）のある地上に設置するのに比べて、水平な状態で設置することが容易となる。
【００２０】
また、栽培器を吊下する吊下具の下部には、移動パイプに沿って伸延させたレール材を配設しており、このレール材に、収獲時には作物を収納することができる収納箱を移動自在に吊下している。レール材から吊下された収納箱は、栽培器の栽培面に臨んでいるため、栽培器を移動させて歩行路を確保した作業者は、歩行路に位置しながら作物を収納箱に次々に移して行くことができるなど、利便性が大幅に向上する。なお、収納箱は、通常時には肥料やその他必要材料を入れておくなどもできるため、収獲時以外においても利用価値は極めて高い。
【００２１】
栽培器は、前記一対の吊下具それぞれに、略水平に取り付けられた上部横枠部材と、所定の間隔をあけて並設とした複数のパイプ材からなる載置台部と、この載置台部の前後端部と前記各上部横枠部材とを連結する縦枠部材とから構成することができる。
【００２２】
上部横枠部材や縦枠部材についても、載置台部を構成するパイプ材と同様のパイプ材で構成することが好ましく、例えば同一部材を用いれば、材料の種類を減少させ、かつ、部材同士を連結する連結具の共通化などが図れるため、よりコストダウンを図ることが可能となる。なお、載置台部を形成するパイプ材同士の間隔は、作物栽培用のプランタの大きさに合わせるとよい。
【００２３】
また、上記上部横枠部材の両端には、それぞれ緩衝板を設けることが好ましい。緩衝板としては、その機能を発揮できるものであればその形状や大きさは何ら限定されないが、上部横枠部材の先端は、載置台部の側縁から所定長さだけ突出させておくことが好ましい。突出する長さとしては、隣り合う栽培器の緩衝板同士が付き合わされたときに、載置台部間に形成される空間が、載置台部からはみ出した作物（実など）の保護空間となるだけの長さとするべきである。
【００２４】
例えば、作物が苺の場合、花柄が一定方向に伸びていくため、隣り合うプランタ間で、花柄の先端につく実同士が干渉し合わないように、プランタの載置台部への設置向きを配慮している。したがって、載置台部へプランタを２列に設置する場合は、苺の実は載置台部の外側に向くようにしている。
【００２５】
そこで、上部横枠部材の先端は、載置台部の側縁から所定長さだけ突出させておき、緩衝板同士が付き合わされたときに、載置台部間に作物保護空間が形成できるようにしておくのである。
【００２６】
ところで、栽培器を移動パイプに吊下するために設けられた前記吊下具は、前記移動パイプに係止されるフックからなり、このフックの内側に前記移動パイプに摺接する複数の転動ローラを配設しておくことが好ましい。
【００２７】
すなわち、移動パイプを転動させるときに、移動パイプとこれに係止される吊下具との間には、摩擦抵抗が極力小さく作用するようにしておくことが好ましい。そこで、移動パイプと直接接触するフックの内側に転動ローラを配設しておくのである。なお、転動ローラの数は、移動パイプと安定して接触できるように複数個設けるとよい。
【００２８】
さらに、前記収納箱を移動自在に吊下するレール材に、伸長自在に散液用ホースを這わせることもできる。
【００２９】
すなわち、栽培器の長さ方向に沿って散液用ホースを伸長収縮させることができるため、作物に散水したり、あるいは薬剤などを散布したりするのに有用となる。このとき、散液用ホースは、レール材に収納箱を吊下するための箱用吊下具を共用することが可能である。
【００３０】
以下、本実施形態に係るハウス用栽培装置及び同装置を備えたビニルハウス構造について、添付図面を参照しながらより具体的に説明する。図１は本実施形態に係るハウス用栽培装置を備えたビニルハウスの説明図、図２は同ハウス用栽培装置の正面図、図３は同斜視図、図４は同ハウス用栽培装置の移動状態を示す説明図、図５は収納箱の移動状態を示す説明図である。
【００３１】
図１に示すように、ビニルハウス１は、アーチ部材や横パイプや補強材パイプなどからなる所定の骨組材を組み合わせることよって正面視蒲鉾状の形状に組上げられ、かかる骨組材に沿って合成樹脂フィルムからなるシート材（図においては省略）を張設して構築されている。
【００３２】
すなわち、屋根を形成する複数のアーチ部材２を、構築するビニルハウス１の棟方向（長手方向）へ所定間隔を隔てて立設するとともに、各アーチ部材２間に、複数の長手状の横パイプ３を連結固定している。
【００３３】
本実施形態に係るビニルハウス１のアーチ部材２は、曲率の異なる内側アーチパイプ２０と外側アーチパイプ２１とが、曲率半径方向に所定間隔を維持するように連結具２２を介して連結された構成としており、１本のアーチパイプからなる構成よりも堅固な作りとしている。
【００３４】
また、図１において符合４が示すものは、内側アーチパイプ２０と外側アーチパイプ２１とのうち、前記横パイプ３とを交差状態で連結した固定部を跨ぐように設けた面視略二等辺三角形状の補強連結具であり、これにより、アーチ部材２のねじれを防止している。この補強連結具４は、例えば、内側アーチパイプ２０と横パイプ３とが連結固定されている場合は、外側アーチパイプ２１を平面視略Ｕ字状の包持部４０で抱持する一方、同包持部４０を頂点として伸延する腕部４１，４１を内側アーチパイプ２０と横パイプ３とが連結された固定部を跨ぐように配設される。
【００３５】
すなわち、内側アーチパイプ２０と外側アーチパイプ２１とからなるアーチ部材２は、前記連結具２２によって連結方向の強度は十分であるが、内側アーチパイプ２０と外側アーチパイプ２１とのねじれ方向への力には耐性が不十分である傾向があるため、上記補強連結具４を用いることで、ねじれにも強い、より堅固な作りとすることができる。
【００３６】
また、ビニルハウス１の妻面方向に沿って、複数の梁材５がそれぞれ所定の同じ高さに横架されている。本実施形態では、かかる梁材５を、ビニルハウス１の棟方向に所定間隔をあけて複数本配設しているが、例えばビニルハウス１の前後の妻面側にそれぞれ設けるだけでもよい。
【００３７】
上述したような構成の骨組材で構築されたビニルハウス１内に、本実施形態の要部をなすハウス用栽培装置６が複数配設されている。なお、図１においては、複数配設したハウス用栽培装置６のうちの一部のみを示してあるが、図４に示すように、ハウス用栽培装置６は、ビニルハウス１内に複数列配設されている。
【００３８】
本実施形態に係るハウス用栽培装置６は、作物を栽培するため栽培器８を、ビニルハウス１内に吊下状態で移動可能に配設したものであり、図１に示すように、栽培器８は、前述したビニルハウス１内の対向する位置に所定高さで架設された梁材５，５間に掛け渡されて、この梁材５，５上を転動可能とした移動パイプ７に吊下されている。
【００３９】
すなわち、図２及び図３に示すように、ハウス用栽培装置６は、前記梁材５，５間に掛け渡された移動パイプ７に、前後所定間隔をあけて係止された一対の吊下具６０を介して吊下され、前記移動パイプ７の転動に伴って水平移動する栽培器８と、前記吊下具６０の下部に取り付けられ、前記移動パイプ７に沿って伸延させたレール材９と、このレール材９に移動自在に吊下された収納箱１０とを具備する構成となっている。なお、栽培器８のサイズ（幅、長さ）は、ビニルハウス１のサイズに合わせて適宜設定することができる。
【００４０】
かかる構成により、例えば苺のような作物Ａを栽培するための栽培器８は、移動パイプ７に係止した前後一対の吊下具６０，６０を介して吊下した状態で、移動パイプ７を回転させると、その転動方向、すなわち移動パイプ７の回転移動方向に略水平に移動させることができる（図４参照）。
【００４１】
このように、ビニルハウス１内に、ハウス用栽培装置６をその移動方向に複数設けたビニルハウス構造とすることで、必要に応じて移動パイプ７を回転させて移動させることにより、図４に示すように、隣接する栽培器８，８間に歩行路Ｃが形成可能となる。
【００４２】
したがって、従来のように、畝と畝の間毎に歩行路を設ける必要がないため、ハウスサイズで規定されるハウス面積に対する作物の栽培面積の割合を大幅に増加させることが可能となる。
【００４３】
また、栽培器８は吊下されているため、凹凸のある地上に立設するよりも水平に位置させることが容易である。
【００４４】
なお、移動パイプ７が掛け渡される梁材５は、所望する強度が得られ、かつ移動パイプ７が転動しやすいように、移動パイプ７が接する面を平面とした矩形チャンネル状に形成されている。一方、移動パイプ７は、転動自在となるように、当然ながら丸パイプで形成され、しかも、この移動パイプ７は、梁材５，５間にフリーな状態で横架されているだけなので、栽培器８の大きさ（重量）などには拘わらず、容易に転動する。例えば、移動パイプ７の中間や端部にチェーンブロックなどのような構造からなる周知の回転装置Ｂ１，Ｂ２（図１、図５参照）を取り付けておけば、作業者により容易に転動させることができる。
【００４５】
図１に示した回転装置Ｂ１はチェーンＢ１０を引き上げ、引き下げることで移動パイプ７に回転力を伝達する構成としたものであり、図５に示した回転装置Ｂ２は操作桿Ｂ２０を回動させることで移動パイプ７に回転力を伝達する構成としたもので、いずれも周知のものである。また、本実施形態で示した構成に限らず、いかなる構成の回転装置を用いても構わない。さらに、回転装置を取り付ける位置としても、移動パイプ７の中間であっても端部であっても構わないが、移動パイプ７が長尺であれば、中間に取付けた方が、移動パイプ７が転動したときの両端側での移動距離の誤差が少なくなると考えられる。
【００４６】
また、本実施形態に係るハウス用栽培装置６は、前述したように収納箱１０を備えている。すなわち、図２及び図５に示すように、栽培器８を吊下する吊下具６０の下部に、移動パイプ７に沿って伸延させたレール材９を配設しており、このレール材９に、収獲時には作物を収納することができる収納箱１０を移動自在に吊下している。
【００４７】
図２に示すように、レール材９は、下面にスリットが形成された断面四角形状に形成され、内部に転動輪１０ａを転動自在に収容している。そして、この転動輪１０ａに連結した紐体１０ｂを介して収納箱１０が吊支されている。図２中、１０ｄで示したものは転動輪１０ａの下端に取付けられた紐体連結具である。
【００４８】
こうして、レール材９から吊下された収納箱１０は、図示するように、栽培器８の栽培面、すなわち実った作物Ａ（例えば苺）に臨んでいるため、栽培器８を移動させて歩行路Ｃを確保した作業者は、歩行路Ｃに位置しながら作物Ａを収納箱１０に次々に移して行くことができる。なお、収納箱１０は、通常時には肥料やその他必要材料を入れておくなどもできるため、収獲時以外においても利用価値は極めて高く、その利便性が大幅に向上する。
【００４９】
ここで、栽培器８の構成について具体的に説明する。
栽培器８は、その前端及び後端近傍にパイプ材からなる上部横枠部材８０，８０を備えており、この上部横枠部材８０が吊下具６０に略水平に取り付けられている。また、この上部横枠部材から下方に、やなりパイプ材からなる左右の縦枠部材８１を垂下させ、この縦枠部材８１に作物Ａを植えるためのプランタＰを載置可能な載置台部８２を連結している。
【００５０】
載置台部８２は、プランタＰをセットできるだけの間隔をあけて並設とした複数の長尺パイプ材８２ａと、各長尺パイプ材８２ａを長手方向に所定間隔をあけて連結した複数の短尺パイプ材８２ｂとからなり、短尺パイプ材８２ｂの左右端部に前記縦枠部材８１は連結されている。
【００５１】
このように、栽培器８は、実質的には殆どが同一のパイプ材で構成され、その長さ寸法が異なるだけなので、材料の種類も少なく、部材同士を連結する連結具の共通化も図れるため、低コストで製造可能となっている。
【００５２】
また、栽培器８は吊下されているため、前述したように、凹凸のある地上に立設するよりも水平に位置させることが容易であり、なおかつ高さ設定も、パイプ材の長さを調整することで簡単に行うことができる。
【００５３】
ところで、上部横枠部材８０の両端には、それぞれ緩衝板８３が設けられている。本実施形態では、緩衝板８３は樹脂製の円板状としており、ボルトなどによって上部横枠部材８０の端部に連結固定している。
【００５４】
上部横枠部材８０の左右先端は、図２に示すように、載置台部８２の側縁から所定長さだけ突出させており、この突出長さは、図４に示すように、隣り合う栽培器８の緩衝板８３，８３同士が付き合わされたときに、載置台部８２，８２間に作物Ａの保護空間Ｄが形成されるだけの長さとしている。
【００５５】
例えば、作物Ａが、本実施形態で示すように苺である場合、花柄が一定方向に伸びていくため、載置台部８２へプランタを２列に設置する場合は、隣り合うプランタＰ，Ｐ間で、花柄の先端につく実同士が干渉し合わないように、苺の実が載置台部８２の外側に向くようにしている。
【００５６】
そこで、上部横枠部材８０の先端を、載置台部８２の側縁よりも所定長さだけ突出させておき、緩衝板８３，８３同士が付き合わされたときに、載置台部８２，８２間に作物保護空間Ｄが形成できるようにしているのである。
【００５７】
さらに、回転装置Ｂ１あるいは回転装置Ｂ２を用いて移動パイプ７を梁材５上で転動させたとき、移動パイプ７が前側と後側で移動度合いが異なってくることも考えられるが、栽培器８にこの緩衝板８３を設けることで、緩衝板８３、８３同士が当接するまで回転装置Ｂ１（あるいは回転装置Ｂ２）を操作すれば、自然に移動パイプ７の姿勢が整えられることになる。
【００５８】
栽培器８を移動パイプ７に吊下するために設けられた吊下具６０は、移動パイプ７に係止されるフック体からなり、このフック体の内側には、移動パイプ７に摺接する複数の転動ローラ６１を配設しておくことが好ましい。
【００５９】
すなわち、移動パイプ７を梁材５上で転動させるときに、移動パイプ７とこれに係止される吊下具６０との間に作用する摩擦抵抗は極力小さい方が望ましい。そこで、移動パイプ７と直接接触するフック体の内側に複数の転動ローラ６１を配設しておくのである。なお、本実施形態では、移動パイプ７の周面に沿って接触するように５個の転動ローラ６１を設け、移動パイプ７の回転が円滑に行われ、かつこの移動パイプ７の移動に吊下具６０が円滑に追従できるようにしている。
【００６０】
本実施形態の他の形態として、図６に示すように、収納箱１０を移動自在に吊下するレール材９に、伸長自在に散液用ホースＨを這わせることもできる。なお、図６においては収納箱１０については省略している。
【００６１】
すなわち、図示するように、収納箱１０を吊支する転動輪１０ａと紐体連結具１０ｄとを利用して、栽培器８の長さ方向に沿って、先端にシャワーヘッドＨ１を取り付けた散液用ホースＨを伸長収縮自在に取り付けるのである。このようにすれば、作物に散水したり、あるいは薬剤などを散布したりするのに有用となる。
【００６２】
なお、参考例として、散液用ホースＨの先端を閉塞しておく一方、ホース中途に適宜間隔をあけて放水孔を設け、散液用ホースＨを常時栽培器８に上方に這わせた状態にしておき、複数の栽培器８の作物Ａに、同時に散水することもできる。
【００６３】
以上説明してきたように、本実施形態によれば、所定サイズのビニルハウス１内において、ハウスサイズにより規定されるハウス面積に対する作物の栽培面積割合を大幅に増加させることが可能となり、しかも、簡単な操作で栽培器８を水平移動させ、必要に応じて歩行路Ｃを形成することができるため、作業性にも何ら支障を来すことがない。しかも、栽培器８の設置高さは吊下する長さを調整するだけで簡単に設定することができるとともに、凸凹のある地上に設置するのに比べて、水平な状態で設置することが容易となる。
【００６４】
上述してきた実施形態より、作物を栽培するため栽培器８を、ビニルハウス１内に吊下状態で移動可能に配設したハウス用栽培装置６において、以下の構成のものが実現できる。
【００６５】
すなわち、ビニルハウス１内の対向する位置に所定高さで架設された梁材５，５間に、この梁材５，５上を転動可能に掛け渡された移動パイプ７と、この移動パイプ７に、前後所定間隔をあけて係止された一対の吊下具６０，６０を介して吊下され、前記移動パイプ７の転動に伴って水平移動する栽培器８と、前記吊下具６０の下部に取り付けられ、前記移動パイプ７に沿って伸延させたレール材９と、このレール材９に移動自在に吊下された収納箱１０とを具備するハウス用栽培装置６。
【００６６】
前記栽培器８は、前記一対の吊下具６０，６０それぞれに、略水平に取り付けられた上部横枠部材８０と、所定の間隔をあけて並設とした複数のパイプ材（例えば、長尺パイプ材８２ａ）からなる載置台部８２と、この載置台部８２の前後端部と前記各上部横枠部材８０とを連結する縦枠部材８１とから構成されているハウス用栽培装置６。
【００６７】
前記上部横枠部材８０の両端に、それぞれ緩衝板８３を設けたハウス用栽培装置６。
【００６８】
前記吊下具６０は、前記移動パイプ７に係止されるフック体からなり、このフック体の内側に前記移動パイプ７に摺接する複数の転動ローラ６１を配設したハウス用栽培装置６。
【００６９】
前記レール材９に、伸長自在に散液用ホースＨを這わせたハウス用栽培装置６。
【００７０】
また、上述した実施形態から、上述したハウス用栽培装置６を、ビニルハウス１内に複数設け、前記移動パイプ７を移動させることにより、隣接する栽培器８，８間に歩行路Ｃを形成可能としたビニルハウス構造が実現できる。
【００７１】
また、ビニルハウス構造において、前記上部横枠部材８０の両端に、それぞれ緩衝板８３を設けたハウス用栽培装置６を用いることにより、隣り合う栽培器８の緩衝板８３，８３同士が付き合わされたときに、載置台部８２，８２間に作物Ａの保護空間Ｄが形成されるビニルハウス構造が実現できる。
【図面の簡単な説明】
【００７２】
【図１】本実施形態に係るハウス用栽培装置を備えたビニルハウスの説明図である。
【図２】同ハウス用栽培装置の正面図である。
【図３】同斜視図である。
【図４】同ハウス用栽培装置の移動状態を示す説明図である。
【図５】収納箱の移動状態を示す説明図である。
【図６】ハウス用栽培装置の他の実施形態を示す説明図である。
【図７】従来のビニルハウス構造を示す説明図である。
【符号の説明】
【００７３】
Ａ    作物
Ｂ１，Ｂ２    回転装置
Ｃ    歩行路
Ｈ    散液用ホース
Ｐ    プランタ
５    梁材
６    ハウス用栽培装置
７    移動パイプ
８    栽培器
９    レール材
１０    収納箱
６０    連結具
６１    転動ローラ
８０    上部横枠部材
８１    縦枠部材
８２    載置台部
８２ａ    パイプ材
８３    緩衝板
【図１】
2010022219.tif 000003
【図２】
2010022219.tif 000004
【図３】
2010022219.tif 000005
【図４】
2010022219.tif 000006
【図５】
2010022219.tif 000007
【図６】
2010022219.tif 000008
【図７】
2010022219.tif 000009